(57)【要約】【課題】断熱材の温度上昇を抑制して遮炎性の向上を図ることのできる防火建具を提供すること。【解決手段】防火建具である玄関ドア１は、枠体１０と、扉５０とを備える。枠体１０は、室外側形材２１と、室内側形材２２と、室外側形材２１および室内側形材２２間に介在される断熱材２３と、室外側形材２１を補強する補強材２４とを備える。室外側形材２１は、断熱材２３を保持する室外側保持部２１４と、室外側保持部２１４から延出した室内側見付け片部２１５とを有する。室内側形材２２は、断熱材２３を保持する室内側保持部２２５を有する。補強材２４は、室内側見付け片部２１５の室外面に沿って配置される本体片部２４１と、室外側保持部２１４から室外側に離間して配置される離間片部２４３とを有する。【選択図】図２
2016148225.tif 000002
【特許請求の範囲】
【請求項１】
枠体と、前記枠体内に設置される面材とを備え、
前記枠体は、室外側形材と、前記室外側形材よりも室内側に位置する室内側形材と、前記室外側形材および前記室内側形材間に介在される断熱材と、前記室外側形材を補強する補強材とを備え、
前記室外側形材は、前記断熱材を保持する室外側保持部と、前記室外側保持部から延出した見付け片部とを有し、
前記室内側形材は、前記断熱材を保持する室内側保持部を有し、
前記補強材は、前記見付け片部の室外面に沿って配置される本体片部と、前記室外側保持部から室外側に離間して配置される離間片部とを有する
ことを特徴とする防火建具。
【請求項２】
請求項１に記載の防火建具において、
前記離間片部と前記室外側保持部との間には、加熱発泡材が配置される
ことを特徴とする防火建具。
【請求項３】
請求項１または請求項２に記載の防火建具において、
前記室外側形材は、前記室外側保持部に連続する見込み片部を有し、
前記離間片部は、前記見込み片部に対して隙間を隔てて配置される
ことを特徴とする防火建具。
【請求項４】
請求項１から請求項３のいずれか一項に記載の防火建具において、
前記本体片部と前記見付け片部との間には、加熱発泡材が介在される
ことを特徴とする防火建具。
【請求項５】
請求項１から請求項４のいずれか一項に記載の防火建具において、
前記補強材を建物躯体に取り付ける取付部材を備え、
前記取付部材と前記見付け片部との間には断熱材または加熱発泡材が介在される
ことを特徴とする防火建具。
【請求項６】
請求項１から請求項５のいずれか一項に記載の防火建具において、
前記補強材を建物躯体に取り付ける取付部材を備え、
前記取付部材は、前記本体片部に連結される連結片部と、前記室内側形材を建物躯体に固定する固定ネジが挿通される固定片部とを有する
ことを特徴とする防火建具。
【請求項７】
請求項１から請求項６のいずれか一項に記載の防火建具において、
前記見付け片部は、前記枠体の見付け方向外側の部分が建物躯体に当接した状態で、前記枠体の見付け方向内側の部分が建物躯体から離間して位置する
ことを特徴とする防火建具。
【請求項８】
請求項１から請求項７のいずれか一項に記載の防火建具において、
断熱材を面材側から覆って設けられる加熱発泡材をさらに備える
ことを特徴とする防火建具。
【発明の詳細な説明】
【技術分野】
【０００１】
本発明は、断熱枠を備えたドア、サッシなどの防火建具に関する。
【背景技術】
【０００２】
従来、防火建具として、上枠、下枠、左右の竪枠を四周組みしてなる枠と、枠内に設置される扉とを備え、上枠および左右の竪枠は、室外側形材と、室内側形材と、室外側形材および室内側形材を繋ぐ断熱材とをそれぞれ備える断熱防火ドアが提案されている（特許文献１参照）。室外側形材および室内側形材は、各々対向する側に断熱材を保持する断熱材ホルダーを有する。
この断熱防火ドアは、左右の竪枠の室外側形材の断熱材ホルダーの室外側面に当接する室外側挟み部材と、左右の竪枠の室内側形材の断熱材ホルダーの室内側面に当接する室内側挟み部材とを有する挟み具をさらに備えている。室外側挟み部材および室内側挟み部材は、室外側形材の室内側壁を挟んで固定されている。
【０００３】
この断熱防火ドアでは、挟み具によって左右の竪枠の室外側形材および室内側形材を挟んで固定しているため、火災の熱によって室外側形材および室内側形材間の断熱材が溶融した場合でも、室外側形材が室内側形材から室外側へ離れるように変形することを抑制できる。つまり、室外側形材が室内側形材に対して離れようとしたときに室外側形材の室内側壁に離れようとする力が作用するが、室外側形材の室内側壁を室外側挟み部材と室内側挟み部材とで挟んで固定しているので、室外側形材の室内側壁を補強できるから、室外側形材が室外側へ離れることを抑制できる。これにより、火災の熱により断熱材が溶融した場合でも、扉と枠との間から火炎が噴出して延焼するおそれを低減できる。
【先行技術文献】
【特許文献】
【０００４】
【特許文献１】特開２０１４−１６３０７４号公報
【発明の概要】
【発明が解決しようとする課題】
【０００５】
ところで、特許文献１に記載の断熱防火ドアでは、挟み具によって室外側形材が室外側へ離れるのを防止できるとしても、火災の熱により断熱材が溶融してしまう。このため、断熱材が残存する場合と比べ、室外側形材と室内側形材との間などに面外方向の隙間が生じやすい状態となり、遮炎性が低下するおそれがある。また、断熱材が温度上昇することで可燃ガスを発生するおそれもある。
【０００６】
本発明の目的は、断熱材の温度上昇を抑制して遮炎性の向上を図ることのできる防火建具を提供することにある。
【課題を解決するための手段】
【０００７】
本発明の防火建具は、枠体と、前記枠体内に設置される面材とを備え、前記枠体は、室外側形材と、前記室外側形材よりも室内側に位置する室内側形材と、前記室外側形材および前記室内側形材間に介在される断熱材と、前記室外側形材を補強する補強材とを備え、前記室外側形材は、前記断熱材を保持する室外側保持部と、前記室外側保持部から延出した見付け片部とを有し、前記室内側形材は、前記断熱材を保持する室内側保持部を有し、前記補強材は、前記見付け片部の室外面に沿って配置される本体片部と、前記室外側保持部から室外側に離間して配置される離間片部とを有することを特徴とする。
【０００８】
本発明の防火建具によれば、離間片部が室外側保持部から離間して位置するため、室外側形材の一部が溶融し、補強材が火炎に晒されて熱せられても、補強材から室外側保持部に直接に熱伝達されることがなく、室外側保持部を通じて断熱材が温度上昇することを抑制できる。
このように断熱材の温度上昇を抑えることで、断熱材の軟化や溶融に基づき枠体の面外方向における隙間が大きくなることや、断熱材から可燃ガスが発生することを抑制でき、遮炎性を向上できる。
さらに、補強材が見付け片部に沿って配置されて室外側形材を補強するため、火災の熱により室外側形材が熱せられ変形しやすい状態となっても、補強材によって室外側形材の形状を維持することで枠体の面外方向の隙間が大きくなることを抑制でき、遮炎性を向上できる。
【０００９】
本発明の防火建具では、前記離間片部と前記室外側保持部との間には、加熱発泡材が配置されることが好ましい。
このような構成によれば、離間片部と室外側保持部との間に加熱発泡材が配置されるため、室外側での火災の熱によって熱せられた加熱発泡材が発泡することで、離間片部と室外側保持部との間を塞ぐことができ、室外側保持部を室外側から覆うことができる。これにより、室外側形材の一部が溶融した場合に、室外側保持部が火炎に晒されて熱せられることがなく、断熱材が室外側保持部から熱伝達されて温度上昇することを抑制できる。
【００１０】
本発明の防火建具では、前記室外側形材は、前記室外側保持部に連続する見込み片部を有し、前記離間片部は、前記見込み片部に対して隙間を隔てて配置されることが好ましい。
このような構成によれば、離間片部が見込み片部に隙間を隔てて配置されるため、離間片部と見込み片部との熱伝達をなくすことができ、断熱材の周囲における熱伝達箇所を削減できる。また、離間片部と室外側保持部との間に加熱発泡材が配置される場合には、当該加熱発泡材の発泡によって前述した隙間を塞ぐことできる。
【００１１】
本発明の防火建具では、前記本体片部と前記見付け片部との間には、加熱発泡材が介在されることが好ましい。
このような構成によれば、本体片部と見付け片部との間に介在される加熱発泡材によって本体片部と見付け片部との熱伝達を遮断でき、断熱性を向上できる。
また、火災の熱により、本体片部と見付け片部との間に介在された加熱発泡材が発泡することで見付け片部を広範囲に覆うことができ、遮炎性を向上できる。
【００１２】
本発明の防火建具では、前記補強材を建物躯体に取り付ける取付部材を備え、前記取付部材と前記見付け片部との間には断熱材または加熱発泡材が介在されることが好ましい。
このような構成によれば、取付部材と見付け片部との間に断熱材または加熱発泡材が介在されることで、見付け片部から取付部材への熱伝達を遮断でき、断熱性を向上できる。また、取付部材と見付け片部との間に加熱発泡材が介在される場合には、前述したように断熱性を向上できるうえ、火災の熱により発泡して断熱材を覆うことができ、遮炎性を向上できる。
【００１３】
本発明の防火建具では、前記補強材を建物躯体に取り付ける取付部材を備え、前記取付部材は、前記本体片部に連結される連結片部と、前記室内側形材を建物躯体に固定する固定ネジが挿通される固定片部とを有することが好ましい。
このような構成によれば、固定片部に固定ネジが挿通されるため、室内側形材を建物躯体に固定する固定ネジと、取付部材を建物躯体に固定する固定ネジとを共通化できる。
また、固定ネジはステンレス等の金属材料によって構成されるが、例えば室内側形材がアルミ押出形材によって形成される場合には、固定ネジは室内側形材よりも高強度である。このため、固定片部に固定ネジが挿通されて建物躯体に取り付けられる場合には、取付部材が室内側形材に取り付けられる場合と比べ、火災の熱により室内側形材の構造が不安定となっても、建物躯体への取付状態を維持できる。
【００１４】
本発明の防火建具では、前記見付け片部は、前記枠体の見付け方向外側の部分が建物躯体に当接した状態で、前記枠体の見付け方向内側の部分が建物躯体から離間して位置することが好ましい。
このような構成によれば、枠体の見付け方向内側の部分が建物躯体から離間して位置するため、例えば、補強材を建物躯体に取り付ける取付部材を備える場合には、見付け片部の室内面と建物躯体の外壁面との間に取付部材の一部（前述した連結片部など）を配置可能なスペースを形成できる。このため、枠体の見込み方向において取付部材の一部を建物躯体と並ぶ位置に配置でき、例えば、枠体の見付け方向において取付部材全体を建物躯体と並ぶ位置に配置する場合と比べ、枠体の見付け方向寸法を小さくできる。
【００１５】
本発明の防火建具では、断熱材を面材側から覆って設けられる加熱発泡材をさらに備えることが好ましい。
このような構成によれば、断熱材を面材側から覆う加熱発泡材を備えるため、この加熱発泡材が発泡していない状態でも、断熱材が面材側から火炎に晒されることを防止できる。また、火災の熱により当該加熱発泡材が発泡した場合には、面材と枠体との間を塞ぐことができる。
【発明の効果】
【００１６】
本発明によれば、断熱材の温度上昇を抑制して遮炎性の向上を図ることのできる防火建具を提供できる。
【図面の簡単な説明】
【００１７】
【図１】本発明の実施形態に係る玄関ドアを示す外観姿図。
【図２】前記実施形態に係る玄関ドアを示す縦断面図。
【図３】前記実施形態に係る玄関ドアを示す横断面図。
【図４】前記実施形態に係る玄関ドアの要部を拡大して示す縦断面図。
【図５】前記実施形態に係る玄関ドアの加熱発泡材の発泡状態を示す縦断面図。
【発明を実施するための形態】
【００１８】
［本実施形態の構成］
以下、本発明の実施形態を図面に基づいて説明する。
図１〜３において、本実施形態に係る防火建具である玄関ドア１は、建物の壁開口部に設けられて室内外を区切るものであり、建物躯体２に取り付けられる枠体１０（ドア枠）と、枠体１０に開閉自在に支持される面材としての扉５０（ドア本体）とを備えて構成されている。
【００１９】
枠体１０は、上枠２０、下枠３０および左右の縦枠４０を四周枠組みして構成されている。図１において右側に示す縦枠４０は吊元側の縦枠４０であり、図１において左側に示す縦枠４０は戸先側の縦枠４０である。下枠３０は、図２に示すように、アルミ押出形材によって形成された金属枠材であり、その室内側部分に気密材１２が係合する係合溝部３１が設けられている。また、金属枠材のうち係合溝部３１よりも室内側の部分には、室内側において金属枠材を覆う樹脂製の断熱カバー３２が取り付けられている。
【００２０】
上枠２０は、図２，４に示すように、室外側形材２１と、室内側形材２２と、断熱材２３と、補強材２４と、取付部材２５とを備えている。
室外側形材２１および室内側形材２２は、アルミ押出形材によってそれぞれ形成されている。断熱材２３はウレタンフォームなどによって形成されている。補強材２４および取付部材２５は、室外側形材２１および室内側形材２２よりも高強度なスチール鋼板などの金属製材料によって構成されている。
【００２１】
室外側形材２１は、室外側見付け片部２１１と、上側見込み片部２１２（外側見込み片部）と、下側見込み片部２１３（内側見込み片部）と、室外側保持部２１４と、室内側見付け片部２１５（見付け片部）と、取付片部２１６と有して構成されている。
【００２２】
室外側見付け片部２１１の上縁は上側見込み片部２１２の室外縁に連続している。室外側見付け片部２１１の下縁は下側見込み片部２１３の室外縁に連続している。下側見込み片部２１３の室内縁は室外側保持部２１４に連続している。室内側見付け片部２１５の上縁は上側見込み片部２１２の室内縁に連続している。室内側見付け片部２１５の下縁は室外側保持部２１４に連続している。取付片部２１６は上側見込み片部２１２の室内縁に連続しており、室内側見付け片部２１５よりも上方に位置している。室外側見付け片部２１１、上側見込み片部２１２、下側見込み片部２１３、室外側保持部２１４および室内側見付け片部２１５によってホロー部が形成されている。
【００２３】
室外側見付け片部２１１のうち上側見込み片部２１２に連続する上側部分は、室外側に突出して形成されている。
下側見込み片部２１３のうち室外側見付け片部２１１に連続する室外側部分には、ドア閉鎖状態で扉５０に当接する水密材１１が係合する係合溝部２１３Ａが設けられている。
室外側保持部２１４は、室内側形材２２に対向する面が開口されて凹状に形成されており、断熱材２３の室外部分に係合することで当該断熱材２３を保持している。
室内側見付け片部２１５は、建物躯体２の外壁面２Ａに対して斜めに配置され、取付部材２５の建物躯体２への取付状態で上枠２０の見付け方向上側（見付け方向外側）よりも見付け方向下側（見付け方向内側）の部分が建物躯体２から離間して位置する。これにより、室内側見付け片部２１５のうち上側部分は外壁面２Ａに当接して位置し、室内側見付け片部２１５のうち下側部分は外壁面２Ａよりも室外側に離間して位置する。
取付片部２１６には、ステンレス製の固定ネジ１３が挿通されており、この固定ネジ１３によって建物躯体２の外壁面２Ａに取り付けられている。
【００２４】
室内側形材２２は、室外側形材２１に対して室内側に位置しており、一対の見付け片部２２１，２２２と、見込み片部２２３と、係合片部２２４とを有して構成されている。
見付け片部２２１には、室内側保持部２２５が形成されている。室内側保持部２２５は、室外側形材２１に対向する面が開口されて凹状に形成されており、断熱材２３の室内部分に係合することで当該断熱材２３を保持している。
見込み片部２２３の室外縁および室内縁は、見付け片部２２１，２２２の下縁にそれぞれ連続しており、室外側形材２１の下側見込み片部２１３と面一に配置されている。見込み片部２２３には挿通孔２２３Ａが形成されており、挿通孔２２３Ａにステンレス製の固定ネジ１４が挿通されることによって建物躯体２の開口形成面２Ｂに取り付けられている。
見付け片部２２２の上端部は、室外側に折曲されており、上枠２０の建物躯体２への取付状態では、建物躯体２の開口形成面２Ｂに当接する。
係合片部２２４には、ドア閉鎖状態で扉５０に当接する気密材１２が係合する係合溝部２２４Ａが設けられている。
【００２５】
断熱材２３は、室外側形材２１と室内側形材２２との間に介在されており、気密材１２よりも開口外側に位置している。断熱材２３は、室外側形材２１および室内側形材２２に沿って延びており、室外側保持部２１４および室内側保持部２２５に保持されることで、室外側形材２１と室内側形材２２とをつないでいる。
なお、断熱材２３は、後述するように、左右の縦枠４０にも設けられており、上枠２０および左右の縦枠４０に設けられた断熱材２３は互いに連続して断熱ラインを形成している。
【００２６】
補強材２４は、室外側形材２１の長手方向に沿って延びた板状の通し材によって構成されている。補強材２４は、室外側形材２１と略同じ長さを有している。補強材２４は、室内側見付け片部２１５に沿って配置される本体片部２４１と、本体片部２４１から室外側に折曲された折曲片部２４２と、折曲片部２４２から玄関ドア１の開口５側に延びた離間片部２４３とを有して構成されている。
【００２７】
本体片部２４１は、取付部材２５の後述する連結片部２５１との間に室内側見付け片部２１５を挟んでおり、連結片部２５１に連結ネジ１５によって連結されている。連結ネジ１５は、ステンレス等の金属材料によって構成されている。
また、本体片部２４１の室内側見付け片部２１５に対する対向面には、シート状の加熱発泡材４（４Ａ）が貼りつけられている。加熱発泡材４Ａは、本体片部２４１の長手方向に沿って延びているとともに、本体片部２４１の一方の側縁（上縁）から他方の側縁（下縁）までの幅を有している。補強材２４と取付部材２５との連結状態では、加熱発泡材４Ａは、本体片部２４１と室内側見付け片部２１５との間に介在されている。
【００２８】
折曲片部２４２の室内縁は本体片部２４１の下縁に連続しており、折曲片部２４２の室外縁は離間片部２４３の上縁に連続している。折曲片部２４２は、室外側保持部２１４から上側見込み片部２１２側に離間して位置している。
【００２９】
離間片部２４３は、折曲片部２４２から下側見込み片部２１３に向かって延びており、離間片部２４３の先端と下側見込み片部２１３との間に隙間２４４が形成されている。離間片部２４３は、室外側保持部２１４から室外側に離間して位置しており、室外側保持部２１４との間にポケット２４５（空間）を形成している。離間片部２４３の室内面には、加熱発泡材４（４Ｂ）が貼りつけられている。
【００３０】
取付部材２５は、室内側形材２２の長手方向に沿って延びた板状の通し材によって構成されている。取付部材２５は、室内側形材２２と略同じ長さを有している。取付部材２５は、補強材２４に連結される連結片部２５１と、連結片部２５１に連続する連続片部２５２と、連続片部２５２に連続する固定片部２５３とを有して構成されている。
【００３１】
連結片部２５１は、室内側見付け片部２１５に沿って配置されており、室内側見付け片部２１５に対向する対向面にシート状の断熱材６が貼りつけられている。連結片部２５１には、連結ネジ１５によって補強材２４の本体片部２４１に連結されている。連結片部２５１と本体片部２４１との連結状態では、断熱材６は連結片部２５１と室内側見付け片部２１５との間に介在されている。
【００３２】
連続片部２５２は、連結片部２５１から室内側に延びた第一片部２５２Ａと、第一片部２５２Ａから開口５側に延びた第二片部２５２Ｂとを有して断面略Ｌ字状に形成されている。補強材２４と取付部材２５との連結状態では、第二片部２５２Ｂは、室内側形材２２の見付け片部２２１の室内面に沿って配置され、第一片部２５２Ａは見付け片部２２１から室外側に延出して配置されている。見付け片部２２１から室外側に延出する第一片部２５２Ａの部分には、加熱発泡材４（４Ｃ）が貼りつけられている。
なお、室内側保持部２２５、見付け片部２２１、第一片部２５２Ａ、連結片部２５１、断熱材６、室内側見付け片部２１５、室外側保持部２１４および断熱材２３によって空間７が形成されている。
【００３３】
固定片部２５３は、第一片部２５２Ａの下縁から室内側に延びており、固定ネジ１４が挿通される挿通孔２５３Ａが形成されている。固定片部２５３は、固定ネジ１４が挿通孔２５３Ａに挿通されることによって建物躯体２の開口形成面２Ｂに固定される。
【００３４】
開口５を形成する上枠２０の見付け面には、断熱材２３を扉５０側から覆う加熱発泡材４（４Ｄ）が設けられている。加熱発泡材４Ｄは、室外側保持部２１４と室内側保持部２２５とにまたがって貼りつけられている。
【００３５】
図３において右側に示す縦枠４０は、室外側形材４１と、室内側形材２２と、断熱材２３と、補強材２４と、取付部材２５とをそれぞれ備えている。縦枠４０の室外側形材４１、室内側形材２２、断熱材２３、補強材２４および取付部材２５は、上枠２０の室外側形材２１、室内側形材２２、断熱材２３、補強材２４および取付部材２５と同様に形成されている。
【００３６】
室外側形材４１は、アルミ押出形材によってそれぞれ形成されており、室外側見付け片部４１１と、外側見込み片部４１２と、内側見込み片部４１３と、室外側保持部４１４と、室内側見付け片部４１５（見付け片部）と、取付片部４１６と有して構成されている。
【００３７】
室外側見付け片部４１１の右側縁は外側見込み片部４１２の室外縁に連続している。室外側見付け片部４１１の左側縁は内側見込み片部４１３の室外縁に連続している。内側見込み片部４１３の室内縁は室外側保持部４１４に連続している。室内側見付け片部４１５の右側縁は外側見込み片部４１２の室内縁に連続している。室内側見付け片部４１５の左側縁は室外側保持部４１４に連続している。取付片部４１６は外側見込み片部４１２の室内縁に連続しており、室内側見付け片部４１５よりも右方に位置している。室外側見付け片部４１１、外側見込み片部４１２、内側見込み片部４１３、室外側保持部４１４および室内側見付け片部４１５によってホロー部が形成されている。
【００３８】
室外側見付け片部４１１の左側部分（開口５側の部分）は、室内側に折曲されて開口５内側に延びて形成されている。内側見込み片部４１３には、ラッチ５５が係合する溝部が形成されている。室外側形材４１の室外側保持部４１４、室内側見付け片部４１５および取付片部４１６は、室外側形材２１の室外側保持部２１４、室内側見付け片部２１５および取付片部２１６と同様に構成されているので、これらの詳細な説明を省略する。
【００３９】
図３において左側に示す縦枠４０は、右側に示す縦枠４０と同様に構成されて左右逆向きに配置されているので、図に適宜同符号を付して詳細な説明を省略する。なお、左側に示す縦枠４０の室外側形材４１の内側見込み片部４１３には、丁番１７が取り付けられている。
【００４０】
図２〜図５では二点鎖線によって扉５０を示している。
扉５０は、内部に断熱材が設けられたパネル５１と、パネル５１の戸先に取り付けられた煙返し５２（図３参照）とを備えて構成されている。パネル５１の吊元側の見込み面は、三つの丁番１７を介して吊元側の縦枠４０の見込み面に取り付けられている。煙返し５２は、パネル５１の戸先に取り付けられており、その室外縁部が戸先側の縦枠４０に向かって折曲して形成されている。
また、扉５０には、ドアハンドル５３、ドアガード５４、ラッチ５５が設けられている。
【００４１】
［本実施形態の作用］
以下、本発明の実施形態に係る玄関ドア１の作用について説明する。
平常時（常温時）において、上枠２０では、室外側形材２１と室内側形材２２との熱伝達が断熱材２３によって遮断され、補強材２４から室内側見付け片部２１５への熱伝達が加熱発泡材４Ａによって遮断され、室内側見付け片部２１５から取付部材２５への熱伝達が断熱材６によって遮断される。
左右の縦枠４０では、室外側形材４１と室内側形材２２との熱伝達が断熱材２３によって遮断され、補強材２４から室内側見付け片部２１５への熱伝達が加熱発泡材４Ａによって遮断され、室内側見付け片部２１５から取付部材２５への熱伝達が断熱材６によって遮断される。
また、下枠３０では、その金属枠材の室内部分に取り付けられた断熱カバー３２によって室外空間と室内空間との熱伝達が遮断されている。
このように、枠体１０は、室外空間と室内空間との熱伝達を遮断している。
また、扉５０は、パネル５１の内部に設けられた断熱材によって、室外空間と室内空間との熱伝達を遮断している。
以上のように、平常時では、玄関ドア１は、室外空間と室内空間との熱伝達を遮断し、断熱性能を発揮する。
【００４２】
室外側での火災時において、上枠２０では、図５に示すように、火災の熱によって加熱発泡材４Ａ〜４Ｄがそれぞれ発泡する。同様に、左右の縦枠４０でも、火災の熱によって加熱発泡材４Ａ〜４Ｄがそれぞれ発泡する。各加熱発泡材４Ａは、発泡により室内側見付け片部２１５，４１５の室外面を覆う。各加熱発泡材４Ｂは、発泡によりポケット２４５および隙間２４４を塞ぐ。各加熱発泡材４Ｃは、発泡により空間７を塞ぐ。各加熱発泡材４Ｄは、発泡により上枠２０および左右の縦枠４０と扉５０の周縁との隙間を塞ぐ。
また、各加熱発泡材４Ａ〜４Ｄにより各断熱材２３の周囲（本実施形態では、室内側保持部２２５よりも室内側の部分は除く）は覆われる。これにより、各断熱材２３の周囲の各構成が直接火炎に晒されることを防止し、当該各構成からの熱伝達によって各断熱材２３が温度上昇することを抑制する。
このようにして、各断熱材２３の軟化、溶融を抑制し、室外側形材２１，４１と室内側形材２２との間に面外方向の隙間が生じ、また、当該隙間が拡大することを抑制している。なお、各加熱発泡材４Ｄは、発泡していない状態でも、各断熱材２３を開口５側から覆っており、遮炎性能、断熱性能を発揮している。
【００４３】
また、上枠２０、左右の縦枠４０の室外側部分が火炎に晒されて溶融した場合であっても、発泡した加熱発泡材４Ａ，４Ｂによって室外側保持部２１４，４１４および室内側見付け片部２１５，４１５が火炎に晒されることを防止して温度上昇を抑え、かつ、補強材２４によって室内側見付け片部２１５，４１５の変形などを抑えて隙間の発生、拡大を抑制する。
【００４４】
［本実施形態の効果］
（１）各補強材２４の離間片部２４３が室外側保持部２１４，４１４から離間して位置するため、各室外側形材２１，４１の室外側部分などの一部が溶融し、各補強材２４が火炎に晒されて熱せられても、各離間片部２４３から各室外側保持部２１４，４１４に直接に熱伝達されることがなく、室外側保持部２１４，４１４を通じて各断熱材２３が温度上昇することを抑制できる。
このように各断熱材２３の温度上昇を抑えることで、断熱材２３の軟化や溶融に基づき枠体１０の面外方向における隙間が大きくなることや、断熱材２３から可燃ガスが発生することを抑制でき、遮炎性を向上できる。
さらに、補強材２４が取付部材２５によって建物躯体２に取り付けられ、かつ、補強材２４が室内側見付け片部２１５，４１５に沿って配置されて室外側形材２１，４１を補強するため、火災の熱により室外側形材２１，４１が熱せられ変形しやすい状態となっても、補強材２４によって室外側形材２１，４１の形状を維持することで枠体１０の面外方向の隙間が大きくなることを抑制でき、遮炎性を向上できる。
（２）各室内側見付け片部２１５，４１５の室外面に沿って各補強材２４の本体片部２４１が配置され、かつ、各補強材２４の離間片部２４３と各室外側保持部２１４，４１４との間に加熱発泡材４Ｂが配置される。このため、室外側での火災の熱によって熱せられた加熱発泡材４Ｂが発泡することで、各離間片部２４３と各室外側保持部２１４，４１４との間のポケット２４５を塞ぐことができ、室外側保持部２１４，４１４を室外側から覆うことができる。これにより、室外側形材２１，４１の室外側部分などの一部が溶融した場合に、室外側保持部２１４，４１４が火炎に晒されて熱せられることがなく、各断熱材２３が室外側保持部２１４，４１４から熱伝達されて温度上昇することを抑制できる。
（３）各離間片部２４３が各見込み片部２１３，４１３に隙間２４４を隔てて配置されるため、各離間片部２４３と各見込み片部２１３，４１３との熱伝達をなくすことができ、各断熱材２３の周囲における熱伝達箇所を削減できる。また、各離間片部２４３と各室外側保持部２１４，４１４との間に配置された加熱発泡材４Ｂの発泡によって前述した隙間２４４を塞ぐことできる。
（４）各補強材２４の本体片部２４１と各室内側見付け片部２１５，４１５との間に介在される加熱発泡材４Ａによって各本体片部２４１と各室内側見付け片部２１５，４１５との熱伝達を遮断でき、断熱性を向上できる。
また、火災の熱により、各本体片部２４１と各室内側見付け片部２１５，４１５との間に介在された加熱発泡材４Ａが発泡することで各室内側見付け片部２１５，４１５を広範囲に覆うことができ、遮炎性を向上できる。
（５）各取付部材２５の連結片部２５１と各室内側見付け片部２１５，４１５との間に断熱材６が介在されることで、各室内側見付け片部２１５，４１５から連結片部２５１への熱伝達を遮断でき、断熱性を向上できる。
（６）各見込み片部２２３および各固定片部２５３に固定ネジ１４が挿通されるため、室内側形材２２を建物躯体２に固定する固定ネジ１４と、取付部材２５を建物躯体２に固定する固定ネジ１４とを共通化できる。
また、固定ネジ１４は室内側形材２２よりも高強度であるため、固定片部２５３に固定ネジ１４が挿通されて建物躯体２に取り付けられる場合には、例えば取付部材２５が室内側形材２２に取り付けられる場合と比べ、火災の熱により室内側形材２２の構造が不安定となっても、建物躯体２への取付状態を維持できる。
（７）各室内側見付け片部２１５，４１５のうち枠体１０の見付け方向内側の部分が建物躯体２の外壁面２Ａから離間して位置するため、枠体１０の見込み方向寸法を大きくしなくても、各室内側見付け片部２１５，４１５の室内面と建物躯体２の外壁面２Ａとの間に連結片部２５１を配置可能なスペースを形成できる。このため、枠体１０の見込み方向（外壁面２Ａの面外方向）において連結片部２５１を建物躯体２と並ぶ位置に配置でき、例えば、枠体１０の見付け方向（外壁面２Ａの面内方向）において連結片部２５１を建物躯体２と並ぶ位置に配置する場合と比べ、枠体１０の見付け方向寸法を小さくできる。
（８）各断熱材２３を扉５０側から覆って設けられる加熱発泡材４Ｄを備えるため、加熱発泡材４Ｄが発泡していない状態でも、各断熱材２３が扉５０側から火炎に晒されることを防止できる。また、火災の熱により加熱発泡材４Ｄが発泡した場合には、扉５０と枠体１０との間を塞ぐことができる。
（９）さらに、各取付部材２５は、通し材であり、各断熱材２３との対向面に加熱発泡材４Ｃが設けられるため、加熱発泡材４Ｃの発泡により空間７を塞ぎ、遮炎性を向上できる。
【００４５】
［変形例］
本発明は、以上の実施形態で説明した構成のものに限定されず、本発明の目的を達成できる範囲での変形例は、本発明に含まれる。
例えば、前記実施形態では、加熱発泡材４Ｂは補強材２４に設けられているが、ポケット２４５に配置されていればよく、例えば室外側保持部２１４，４１４に設けられていてもよい。また、加熱発泡材４Ｂの構成は省かれてもよい。
【００４６】
前記実施形態では、本体片部２４１と室内側見付け片部２１５，４１５との間に介在される加熱発泡材４Ａが設けられているが、この加熱発泡材４Ａの構成を省略してもよい。
【００４７】
前記実施形態では、加熱発泡材４Ａは、補強材２４の本体片部２４１の一方の側縁から他方側面までの幅を有して形成されているが、これに限定されず、本体片部２４１よりも室外側保持部２１４，４１４に向かって延出してポケット２４５に配置される延出部分を有して構成されていてもよい。当該延出部分が発泡によりポケット２４５を閉塞可能に構成されている場合には、加熱発泡材４Ｂは省略されてもよい。
【００４８】
前記実施形態では、取付部材２５は、固定片部２５３に固定ネジ１４が挿通されて建物躯体２に取り付けられているが、これに限定されず、例えば、固定片部２５３に固定ネジ１４が挿通されず、取付部材２５が室内側形材２２に固定されることによって、当該室内側形材２２および固定ネジ１４を介して建物躯体２に取り付けられてもよい。
また、前記実施形態では、室内側形材２２の見込み片部２２３および固定片部２５３は、共通の固定ネジ１４に挿通されているが、別々の固定ネジ１４に挿通されてもよい。
【００４９】
前記実施形態では、取付部材２５は、通し材として形成されて加熱発泡材４Ｃが設けられているが、これに限定されず、例えば加熱発泡材４Ｃが設けられない場合には、間隔を隔てて複数並んで設けられたピースによって形成されてもよい。
【００５０】
前記実施形態では、取付部材２５の連結片部２５１と室内側見付け片部２１５，４１５との間には断熱材６が介在されているが、これに限定されず、加熱発泡材が介在されていてもよい。加熱発泡材が介在される場合には、前述した断熱性能に加え、火災の熱により発泡して断熱材２３の周囲を覆うことができ、遮炎性を向上できる。
【００５１】
前記実施形態では、断熱材２３を扉５０側から覆う加熱発泡材４Ｄが設けられているが、この構成を省略してもよい。この場合、気密材１２を、加熱発泡材料を含むもので形成し、当該気密材１２の発泡により枠体１０と扉５０との隙間を塞げる構成としてもよい。
【００５２】
前記実施形態では、玄関ドア１を防火建具の一実施形態として説明したが、このほかにも勝手口ドアなどの各種ドアとして実施されてもよい。また、ドアに限らず、引戸、引き違いサッシ、片引きサッシ、ＦＩＸサッシ等の各種のサッシとして実施されてもよい。
【符号の説明】
【００５３】
１…玄関ドア（防火建具）、２…建物躯体、２Ａ…外壁面、２Ｂ…開口形成面、４（４Ａ〜４Ｄ）…加熱発泡材、５…開口、６，２３…断熱材、７…空間、１０…枠体、１１…水密材、１２…気密材、１３，１４…固定ネジ、１５…連結ネジ、１７…丁番、２０…上枠、２１，４１…室外側形材、２１１，４１１…室外側見付け片部、２１２…上側見込み片部、２１３…下側見込み片部（見込み片部）、２１３Ａ…係合溝部、２１４，４１４…室外側保持部、２１５，４１５…室内側見付け片部（見付け片部）、２１６，４１６…取付片部、２２…室内側形材、２２１，２２２…見付け片部、２２３…見込み片部、２２３Ａ，２５３Ａ…挿通孔、２２４…係合片部、２２４Ａ…係合溝部、２２５…室内側保持部、２４３…離間片部、２４…補強材、２４１…本体片部、２４２…折曲片部、２４４…隙間、２４５…ポケット、２５…取付部材、２５１…連結片部、２５２…連続片部、２５２Ａ…第一片部，２５２Ｂ…第二片部、２５３…固定片部、３０…下枠、３１…係合溝部、３２…断熱カバー、４０…縦枠、４１２…外側見込み片部、４１３…内側見込み片部（見込み片部）、５０…扉（面材）、５１…パネル、５２…煙返し、５３…ドアハンドル、５４…ドアガード、５５…ラッチ。
【図１】
2016148225.tif 000003
【図２】
2016148225.tif 000004
【図３】
2016148225.tif 000005
【図４】
2016148225.tif 000006
【図５】
2016148225.tif 000007